(57)【要約】【課題】塗布液を滞りなく櫛部分に供給可能であって、構造が簡単であり、髪を梳きやすく、塗布液が固まることにより供給口を塞ぐという問題が発生し難い、櫛と容器が一体となった毛染め具を提供することである。【解決手段】  本体部材と櫛状部材２から形成され、本体部材内部に塗布液が収納される塗布液収納部を有し、塗布液を本体部材から櫛状部材２に供給して使用する毛染め具において、櫛状部材２を基部１３と櫛歯部１１から形成し、基部１３の内部には本体部材と櫛歯部１１の間を接続する流路を設け、櫛歯部１１には流路及び外部と連続する中空部分を設け、中空部分には塗布液吸蔵体１０を配し、櫛歯部１１に複数の櫛歯片１４を列状に配した櫛歯片列１５を複数列設け、櫛歯部１１の外部と中空部分とを連続する開口２６を櫛歯片列１５の間に設ける。【選択図】図２
2011250940.tif 000002
【特許請求の範囲】
【請求項１】
本体部材と櫛状部材から形成され、本体部材内部に塗布液が収納される塗布液収納部を有し、塗布液収納部から櫛状部材側に塗布液が導入される毛染め具であって、
前記櫛状部材は、基部と櫛歯部を備え、
基部は基部流路を有し、
櫛歯部は、前記基部流路と連通された中空部分と、当該中空部分に配される塗布液吸蔵体と、複数の櫛歯片から形成されており、中空部分は外部と連通した開口を有し、
櫛歯片は列状に配されて櫛歯片列を形成するものであり、櫛歯片列は複数列設けられ、
櫛歯部の外部と中空部分とを連続する開口が櫛歯片列の間に設けられていることを特徴とする毛染め具。
【請求項２】
櫛状部材は、少なくとも２つの櫛歯部材から形成され、
基部流路は、２つの櫛歯部材の合わせ目部分に形成されることを特徴とする請求項１に記載の毛染め具。
【請求項３】
櫛状部材は内部に堰状部分を有しており、堰状部分は２つの櫛歯部材にそれぞれ設けられた突出部と溝部が嵌合されることによって形成されるものであり、少なくとも基部流路に沿うように位置することを特徴とする請求項２に記載の毛染め具。
【請求項４】
塗布液吸蔵体が前記開口より外部に突出しており、突出している部分の突出方向の長さが３ｍｍ以下であることを特徴とする請求項１乃至３のいずれかに記載の毛染め具。
【請求項５】
前記中空部分は前記基部流路より櫛状部材の長手方向断面の面積が大きくなっていることを特徴とする請求項１乃至４のいずれかに記載の毛染め具。
【請求項６】
櫛歯部に２列の櫛歯片列が設けられており、櫛歯部の外部と中空部分とを連続する開口が１つのみであることを特徴とする請求項１乃至５のいずれかに記載の毛染め具。
【請求項７】
前記開口を挟むように位置する各櫛歯片列の間隔が突出方向先端側へ向かうとともに広がっていくことを特徴とする請求項１乃至６のいずれかに記載の毛染め具。
【発明の詳細な説明】
【技術分野】
【０００１】
本発明は毛髪等に塗布液を塗布して着色する毛染め具に関するものであり、さらに詳細には、櫛と塗布液を内蔵する容器とが一体となった毛染め具に関するものである。
【背景技術】
【０００２】
毛髪に一時染めを行う技術、あるいはヘアマニュキア等の染毛料を毛髪に塗布する技術として、染液（塗布液）の容器と櫛が一体となった毛染め具が知られている。この毛染め具によると、染液を手にとる必要がなく手が汚れないため、容易かつ素早く染毛を行うことができる。このような毛染め具として、例えば特許文献１に開示されているものが知られている。
【０００３】
特許文献１には、櫛体（櫛体１８）の内部に流体収容室（流体収容室３）と連続する流通路（流通路２１）を設け、この流通路を櫛体の長手方向全域に亘って細長く伸びるように形成し、その流通路の全体に亘って円柱状の吸蔵体（吸蔵体２３）を配している毛染め具が開示されている（第１例）。
また特許文献１には、流通路をパイプ部材（パイプ部材２８）によって形成し、パイプ部材２８の周囲を吸蔵体３１で取り囲んだ毛染め具が開示されている（第２例）。
【０００４】
しかしながら、上記特許文献１の第１例の毛染め具では塗布液の流通が滞ってしまうという問題があった。具体的に説明すると、特許文献１の第１例では流通路の内部全体に亘って細長い吸蔵体が配されているため、流通路内の塗布液の流れが吸蔵体に阻害されて流速が遅くなってしまうという問題である。
また特許文献１の毛染め具では吸蔵体の形状は細長いので、塗布液は容器本体（容器本体１）に近い位置から遠い位置に向かって塗布液が含浸してゆくものである。即ち、吸蔵体の容器本体に最も近い位置と、吸蔵体の容器本体の最も遠い位置とでは塗布液が含浸されるまでに時間差がある。そのことにより、吸蔵体の容器本体から最も遠い位置に塗布液が含浸される前に毛染め具を使用することで、容器本体から遠い位置で塗布液が供給されず、染めた際に染めムラが発生してしまうというおそれがあった。
【０００５】
また、特許文献１の第２例の毛染め具のようにパイプ状の流通路の周囲に吸蔵体を配置すると、塗布液を滞りなく流すことは可能であるものの、構造が複雑となってしまい製造工程が難しくなるという問題があった。
【０００６】
加えて、特許文献１の第１例及び第２例の毛染め具では、櫛歯片を列状に配置して櫛を形成し、各櫛歯片の間から吸蔵体を露出させている。即ち、特許文献１の毛染め具は櫛歯と櫛歯の間に吸蔵体を配置した櫛で毛髪を梳ずることにより、櫛歯と櫛歯の間を通過した毛髪が染色されるものである。
しかしながら、このような毛染め具は塗布液を供給する開口（又は吸蔵体）に塵や埃が堆積してしまい、目詰まりを起こしてしまうという問題があった。具体的に説明すると、毛染め具で毛髪を梳くと毛髪に付着していた塵や埃が櫛歯によって除去される。しかし、櫛を形成する櫛歯の間に塗布液を供給する開口や吸蔵体があると、櫛歯によって除去された塵や埃が開口や吸蔵体に多量に付着してしまう。このように開口や吸蔵体に塵や埃が付着すると、塵や埃に付着した塗布液が乾燥固化して開口や吸蔵体の隙間を塞いでしまうことにより、塗布液の供給を妨げてしまうという問題である。
【０００７】
ところで、特許文献１とは別の従来技術として染料の容器と櫛が一体となった毛染め具が特許文献２に開示されている。特許文献２に開示されている毛染め具は、２つの吸蔵体（スポンジ１０ａ，１０ｂ）を櫛歯９と同方向に基枠７から突出させ、２つの吸蔵体の間に櫛歯９を配置した毛染め具（容器付き櫛）である。
【０００８】
しかしながら特許文献２に開示されている毛染め具では、毛髪が梳き難く、塗布液を毛髪に満遍なく塗布することが難しいという問題があった。具体的に説明すると、吸蔵体を第１図（特許文献２）のように十分突出させることにより、櫛歯９の根元部分が２つの吸蔵体よって覆い隠されてしまい、外部に露出している櫛歯の長さが短くなる。その結果、髪を梳く場合に十分な量の毛髪が櫛歯の間を通過することができず、毛髪を整えることが困難になる。すると、整えられてない毛髪に対して染色を行うこととなり、染めむらが発生し易くなるという問題である。
また、吸蔵体を第１図（特許文献２）のように十分突出させると頭皮に吸蔵体が接触するというおそれがある。
加えて特許文献２に開示されている毛染め具では、櫛歯の両側面に吸蔵体が位置しているため、毛髪を梳こうとすると櫛歯より先に吸蔵体が毛髪に接触してしまうという問題があった。つまり、梳かしていない状態の毛髪に吸蔵体が接触することにより、毛髪に染めむらができてしまうおそれがあった。
【先行技術文献】
【特許文献】
【０００９】
【特許文献１】特開平１１−３０９０１２
【特許文献２】実開昭５９−１１１６０６
【発明の概要】
【発明が解決しようとする課題】
【００１０】
そこで本発明は上記した従来技術の各問題を鑑みて、簡単な構造で塗布液を滞りなく櫛部分に供給可能であって、髪が梳き易く、染めむらや目詰まりが発生し難い塗布液の容器と櫛が一体となった毛染め具の提供を課題とするものである。
【課題を解決するための手段】
【００１１】
上記課題を解決するための請求項１に記載の発明は、本体部材と櫛状部材から形成され、本体部材内部に塗布液が収納される塗布液収納部を有し、塗布液収納部から櫛状部材側に塗布液が導入される毛染め具であって、前記櫛状部材は、基部と櫛歯部を備え、基部は基部流路を有し、櫛歯部は、前記基部流路と連通された中空部分と、当該中空部分に配される塗布液吸蔵体と、複数の櫛歯片から形成されており、中空部分は外部と連通した開口を有し、櫛歯片は列状に配されて櫛歯片列を形成するものであり、櫛歯片列は複数列設けられ、櫛歯部の外部と中空部分とを連続する開口が櫛歯片列の間に設けられていることを特徴とする毛染め具である。
【００１２】
請求項１に記載の発明では、櫛歯片列の間に塗布液吸蔵体を配する中空部分の開口があるため、毛髪は櫛で梳られてから塗布液吸蔵体に接触する。したがって、表面の微細な埃やゴミが櫛によって除去された状態であり、一定の方向に整えられた状態の毛髪に塗布液を塗布することができる。そのことにより、むらなくきれいに毛髪を染色することができる。
また、櫛歯片列の間に塗布液吸蔵体及び開口が配置されることで、櫛歯片と櫛歯片の間に開口を設ける構成と比べ、櫛歯片から遠い位置に塗布液吸蔵体及び開口を設けることができる。したがって、毛髪を梳った際に櫛歯片に付着する微細な塵や埃を塗布液吸蔵体及び開口に付着し難くすることが可能であり、目詰まりしにくい毛染め具を提供することができる。
【００１３】
請求項２に記載の発明は、櫛状部材は、少なくとも２つの櫛歯部材から形成され、基部流路は、２つの櫛歯部材の合わせ目部分に形成されることを特徴とする請求項１に記載の毛染め具である。
【００１４】
本発明の毛染め具は、櫛状部材を複数の櫛歯部材を合わせて形成することができる。そのため櫛状部材の内部が複雑な形状であっても、射出成形などにより別々に形成した部品を組み合わせて形成できるため製造が容易になる。
さらにまた、２つの櫛歯部材の合わせ目に流路を設けてもよい。このようにすると、上記した理由により、形状が複雑な流路を容易に形成することができる。
【００１５】
請求項３に記載の発明は、櫛状部材は内部に堰状部分を有しており、堰状部分は２つの櫛歯部材にそれぞれ設けられた突出部と溝部が嵌合されることによって形成されるものであり、少なくとも基部流路に沿うように位置することを特徴とする請求項２に記載の毛染め具である。
【００１６】
本発明の毛染め具は、２つの櫛歯部材にそれぞれ設けられた突出部と溝部が嵌合されることによって形成される堰状部分を有している。つまり、２つの櫛歯部材を合わせる面に外側へ突出した部分を有する櫛歯部材と、２つの櫛歯部材を合わせる面に内側へ落ち込んでいる部分を有する櫛歯部材とを合わせるので、堰状部分は２つの櫛歯部材を合わせた面の合わせ目（面と面を合わせた境目）を跨ぐように設けられる。
そして、この堰状部分は少なくとも基部流路に沿うように位置している。このような構成によると、流路から塗布液が漏れ、漏れた塗布液が櫛歯部材の合わせ目部分を外部に向かって流れた場合においても、塗布液の流れを突出部（堰状部分）が妨げる。したがって、櫛歯部材の合わせ目から塗布液が外部に漏れることがない。
なお、堰状部分は中空部分の周囲に設けてもよく、この場合も中空部分から外部側への塗布液の漏れを防ぐことができる。
【００１７】
請求項４に記載の発明は、塗布液吸蔵体が前記開口より外部に突出しており、突出している部分の突出方向の長さが３ｍｍ以下であることを特徴とする請求項１乃至３のいずれかに記載の毛染め具である。
【００１８】
本発明は、塗布液吸蔵体の上面（櫛歯の突出方向において最も高い位置にある面）を、櫛歯の根元部分の近くに設けることができる。このような構成によると、塗布液吸蔵体を開口から突出させない構成に比べて毛髪に塗布液を付着させ易く、毛髪の染色が容易である。
さらに、塗布液吸蔵体を開口から突出させても、塗布液吸蔵体は櫛歯の根元近傍にのみ位置しているため、塗布液吸蔵体は毛髪の櫛歯の間の通過を阻害しない。したがって、毛髪が梳きやすい。
加えて、塗布液吸蔵体が櫛歯の根元近傍にのみ位置していることで、櫛歯の先端から塗布液吸蔵体までの距離を長くすることができる。そのことにより、塗布液吸蔵体の頭皮への接触を防ぐことができる。
【００１９】
請求項５に記載の発明は、前記中空部分は前記基部流路より櫛状部材の長手方向断面の面積が大きくなっていることを特徴とする請求項１乃至４のいずれかに記載の毛染め具である。
【００２０】
本発明は、塗布液収納部側から櫛歯部へ塗布液を供給する基部流路と中空部分が分割されており、中空部分にのみ塗布液吸蔵体が設けられている。そのため、基部流路に塗布液吸蔵体を配置する構成に比べ、基部流路内で塗布液の流れが滞りにくい。
また本発明は、塗布液吸蔵体を配する中空部分の長手方向の断面積を基部流路のそれより広くすることができる。このような構成によると、基部流路の部分は断面積が小さいため塗布液の流速が速くなり塗布液を勢いよく流すことができる。そのため、仮に基部流路が上向き（重力に逆らう向き）に屈曲していても塗布液は滞りなく流れるので、中空空間への塗布液の供給量が安定する。
そして中空部分は基部断面積が大きくなっており、基部流路に比べて長手方向の長さ当たりの容積が大きくなっている。そのことにより、体積が大きな塗布液吸蔵体を配置することができる。十分な量の塗布液を櫛状部材に供給しても開口から塗布液が垂れてしまうことがない。
【００２１】
請求項６に記載の発明は、櫛歯部に２列の櫛歯片列が設けられており、櫛歯部の外部と中空部分とを連続する開口が１つのみであることを特徴とする請求項１乃至５のいずれかに記載の毛染め具である。
【００２２】
本発明は、櫛歯片列が２列のみであり、中空部分の外部と連続する開口が１つのみであるため、開口の面積をより大きく設けることができる。そのため、塗布液が開口近傍で固まってしまうことにより、開口が閉塞され、塗布液を毛髪に供給できなくなるという問題が発生し難い。
【００２３】
請求項７に記載の発明は、前記開口を挟むように位置する各櫛歯片列の間隔が突出方向先端側へ向かうとともに広がっていくことを特徴とする請求項１乃至６のいずれかに記載の毛染め具である。
【００２４】
本発明は、前記開口を挟むように位置する各櫛歯片列の間隔が突出方向先端側へ向かうとともに広がっていく構成、即ち、各櫛歯片列が櫛状部材の外側に開くように設けられる構成においても好適に使用可能である。
【発明の効果】
【００２５】
本発明の毛染め具は、塗布液を滞りなく供給することができ、毛髪が整った状態で染色することができる。また、内部の中空部分と外部を連続する開口の面積を大きくすることができる。そのことにより、染色の失敗や染めむらが発生しにくいという効果がある。さらに、固まった塗布液が開口を塞いでしまうという問題が発生し難いという効果がある。
【図面の簡単な説明】
【００２６】
【図１】本発明の実施形態の毛染め具を示す断面図である。
【図２】本発明の実施形態の毛染め具の櫛状部材の外観を示す斜視図である。
【図３】図２の櫛状部材を側面側からみた平面図である。
【図４】図２の櫛状部材を前面側からみた平面図である。
【図５】図２の櫛状部材を後面側からみた斜視図である。
【図６】図２の櫛状部材の分解斜視図である。
【図７】図６の第１櫛歯部材を示す斜視図である。
【図８】図６の第２櫛歯部材をＡ方向からみた斜視図である。
【図９】図２の櫛状部材が組み立てられる様子を示す説明図であり、（ａ）、（ｂ）の順に組み立てられる。
【図１０】図２の櫛状部材のＡ−Ａ断面図である。
【図１１】図１の毛染め具の分解斜視図である。
【図１２】図１とは別形態の本発明の毛染め具を示す平面図である。
【発明を実施するための形態】
【００２７】
以下さらに本発明の実施形態について説明する。
図１に示されるように本実施形態の毛染め具１は、櫛状部材２、本体部材３、蓋部材４から形成されている。
櫛状部材２は内部に塗布液吸蔵体１０を備えており、塗布液吸蔵体１０は一部が外部に露出した状態となっている。また、本体部材３は染料７（塗布液）が貯留されるものであり、内部の染料７を櫛状部材２に供給可能となっている。そして蓋部材４は、未使用時においては本体部材３に一体に取り付けられて櫛状部材２を収納し、使用時においては本体部材３から取り外されるものである。
本実施形態の毛染め具１を使用する際には、蓋部材４を本体部材３から取り外し、櫛状部材２に染料７を供給して、塗布液吸蔵体１０に染料７を含浸させた状態で毛髪等の染色対象を梳る。そのことにより、塗布液吸蔵体１０が毛髪（染色対象）に接触して毛髪（染色対象）に染料７が付着する。そして、毛髪が染色される。
なお、以下の説明において「前後」の関係は櫛状部材２（取り付けた状態の蓋部材４）を前側、本体部材３側を後側として説明する。
【００２８】
櫛状部材２は図２に示されるように歯ブラシのような外観であり、細長く延びた部材である。
この櫛状部材２に使用する材料は特に限定されるものではないが、ポリプロピレン樹脂、ポリアセタール樹脂、ポリアミド樹脂、ポリカーボネート樹脂、ポリスチレン樹脂、アクリル樹脂等の樹脂を用いることができる。また樹脂以外の材質のものを用いてもよく、アルミやステンレスなどの金属材料、木材、ガラスやセラミックなどの無機材料などを材料として使用することができる。
櫛状部材２は大きく分類して先端側の櫛歯部１１と基端側の基部１３により形成されている。櫛歯部１１は櫛状部材２の長手方向の片側端部に設けられており、基部１３は櫛状部材２から櫛歯部１１を除いた部分である。
また、基部１３の片側端部には本体取り付け部１２が設けられている。詳細に説明すると、この本体取り付け部１２は櫛状部材２の長手方向の基端部であって、櫛歯部１１と反対側の端部に位置している。なお、本体取り付け部１２には本体部材３の端部が係合し、櫛状部材２を本体部材３に一体に取り付けることができる。
【００２９】
ここで櫛状部材２の上面に注目すると、櫛歯部１１側の端部は傾斜面１７（第１の傾斜面）となっており、傾斜面１７は先端から後方に向かって上り勾配となっている。そして、前記傾斜面１７（第１の傾斜面）の最頂部分から後側の端部に向かって別の傾斜面１８（第２の傾斜面）が連続しており、後側に向かって下り勾配となっている。この傾斜面１８（第２の傾斜面）は後側端部で長手方向と平行に延びる平坦面１９と連続しており、さらにこの平坦面１９は後側端部で本体取り付け部１２と連続している。
つまり櫛状部材２の上面は、まず前側端部から後側に向かうにつれて山なりになっており、次に高さが一定であり長手方向と平行に延びる平坦面１９から、本体取り付け部１２に連続している。
【００３０】
次に櫛状部材２の下面に注目すると、櫛歯部１１側が傾斜面２２（第３の傾斜面）となっており、傾斜面２２は先端から後側に向かって上り勾配とされている。この傾斜面２２（第３の傾斜面）は、前記した上面の前側端部の傾斜面１７（第１の傾斜面）と櫛状部材２の本体を挟んで対向する位置にある面であり、上面側の傾斜面１７より傾斜角度が緩やかになっている。また、この傾斜面２２（第３の傾斜面）は後側端部で別の傾斜面２３（第４の傾斜面）と連続している。
そして、櫛状部材２の下面であり前側端部に位置する傾斜面２２（第３の傾斜面）と連続するこの傾斜面２３（第４の傾斜面）は、後側（本体取り付け部１２側）に向かうにつれて低くなっていき、後側端部で長手方向と平行に延びる平坦面２４と連続している。さらに、この平坦面２４は後側端部で本体取り付け部１２と連続している。
ここで、この下面側の傾斜面２３（第４の傾斜面）及び平坦面２４は、上面側の傾斜面１８（第２の傾斜面）及び平坦面１９と、それぞれ櫛状部材２の本体を挟んで対向する位置にある。そして、下面側の傾斜面２３（第４の傾斜面）は上面側の傾斜面１８（第２の傾斜面）より、傾斜方向（図２におけるＸ１方向）の長さが短くなっており、平坦面２４は平坦面１９より櫛状部材２の長手方向の長さ（図２におけるＸ２方向）が長くなっている。
また、傾斜面１８（第２の傾斜面）と平坦面１９が接触している位置は、傾斜面２３（第４の傾斜面）と平坦面２４が接触している位置より後側となっている。
【００３１】
したがって、図３に示されるように櫛状部材２を側面からみると、前側（図３における左側）端部は略直角三角形状となっている。また櫛状部材２は図３のように前側から後側に向かって３つのエリアに区分され、Ａエリアの「略直角三角形状の部分」、Ｂエリアの「一部が変形した長方形状の部分」、Ｃエリアの「本体取り付け部１２」の順に連続している。そしてＢエリアの「一部が変形した長方形状の部分」は、詳細にはＡエリアに向かって片側（前側）端部を上側に曲げたような形状となっている。
なお、Ａエリアの「略直角三角形状の部分」が櫛歯部１１を形成し、Ｂエリアの「一部が変形した長方形状の部分」とＣエリアの「本体取り付け部１２」が基部１３を形成している。
【００３２】
次に櫛歯部１１について図２，４を参照しつつ詳細に説明する。櫛歯部１１は櫛状部材２の先端の上面に設けられており、複数の櫛歯片１４と塗布液吸蔵体１０によって形成されている。
【００３３】
櫛歯片１４はそれぞれ略円錐形となっており、櫛状部材２の上面に一体に形成され、上面から離れる方向へ突出している。これらの櫛歯片１４は列状に配されており、櫛歯片列１５を形成している。具体的には櫛状部材２の櫛歯片列１５は長手方向に２列設けられ、各列の長手方向に隣接する櫛歯片１４は等間隔に配置されている。そしてこの２列の櫛歯片列１５は、それぞれ櫛状部材２の短手方向の両端近傍に位置している。
また２列の櫛歯片列１５の内の櫛状部材２の先端側に位置する櫛歯片１４は、櫛状部材２の前端からその櫛歯片１４までの距離（図２におけるＬ１）が同じになっている。そしてこの２列の櫛歯片列１５は、櫛状部材２の長手方向における各櫛歯片１４間の間隔が同じになっている。さらにこの２列の櫛歯片列１５は列を形成する櫛歯片１４の数が同じ（各列櫛歯片１４が８つずつ）である。したがって、櫛歯片列１５形成する各櫛歯片１４は、もう一方の櫛歯片列１５を形成する各櫛歯片１４と向かい合って配置されている。即ち、櫛歯片１４は櫛状部材２の長手方向及び短手方向の２つの方向で列を成して配置されている。
ここで各櫛歯片１４に注目すると、櫛歯片１４はそれぞれ略尖形状の円錐形となっている。そして、櫛状部材２の短手方向に隣接する２つの櫛歯片１４の円錐の中心軸は互いに離反するように傾斜している。つまり、２つの櫛歯片列１５は列を形成する各櫛歯片１４の傾斜方向がそれぞれ異なっている。具体的には、櫛状部材２を前端面から見て左側に位置する櫛歯片列１５を形成している各櫛歯片１４の中心軸は先端側が左側に傾斜しており、右側に位置する櫛歯片列１５を形成している各櫛歯片１４の中心軸は先端側が右側に傾斜している。したがって、各櫛歯片列１５の間隔は突出方向の先端側へ向かうとともに広がっていく。
また、各櫛歯片１４の突出方向の先端部分は櫛状部材２の上面と略平行な面が形成されるように切り落とされている。
【００３４】
櫛歯部１１の２つの櫛歯片列１５の間には、塗布液吸蔵体１０が配されている。詳細に説明すると、この塗布液吸蔵体１０は櫛状部材２の内部にある吸蔵体配置空間５５に配されており、櫛状部材２の上面に設けた開口２６から塗布液吸蔵体１０の上面側の一部が露出している。即ち、塗布液吸蔵体１０は吸蔵体配置空間５５の開口２６からわずかに外側に突出するように配されている。なお、塗布液吸蔵体１０、吸蔵体配置空間５５の詳細については後述する。
【００３５】
本体取り付け部１２は図５に示されるように、後方側からみると長方形の上部が凸形に丸みを帯びたアーチ形状となっている。そして略中央部分に、外部から内部の空間に繋がる塗布液供給孔２９が設けられている。
ここで図３に示される様にこの本体取り付け部１２を側面からみると、後端（図３における右側）から中間あたりまでの高さ（図３のＸ１方向の長さ）が一定となっている。また、前記中間から前方向は丸みを帯びて傾斜しており、前方側になるにつれて高さ（図３のＸ１方向の長さ）が低くなっている。
つまり本体取り付け部１２は、前面及び後面からみてアーチ形状であって且つ前後に延びる部材から一部を切りとったような形状となっている。詳細には、図３のように上面の中央部分よりやや前側の部分から前面の下側の部分にかけて、側面側からみた切り取り線が放物線状となるように一部を切りとったような形状である。
【００３６】
ここで、櫛状部材２の組み立て構成について説明する。図６に示されるように櫛状部材２は第１櫛歯部材３２、第２櫛歯部材３３、櫛歯用固定部材３４、塗布液吸蔵体１０から形成されている。
【００３７】
第１櫛歯部材３２は図７に示されるように、櫛状部材２を長手方向に沿って中心から左右に分割した際の略半分を形成する部材であって、前側からみたときに左側となる部分を形成する部材である。したがって、第１櫛歯部材３２の前端側の上面には前述した２列の櫛歯片列１５の内の１列が配されている。
さらに第１櫛歯部材３２の片側側面であって、前側から見た時に右側に位置する側面（以下内側側面）には、上側突出部４０、下側突出部４１、凸部４２、配置空間用凹部４３、流路溝４４が設けられている。
【００３８】
上側突出部４０は、内側側面と一体に設けられ、内側側面から垂直な方向に突出している突端部が丸みを帯びた突起状の部分である。そして上側突出部４０は、第１櫛歯部材３２の長手方向に延びている。さらに、この上側突出部４０は第１櫛歯部材３２の上面及び後面近傍に設けられ、上面及び後面に沿うように一部屈曲しながら長手方向に延びている。
【００３９】
下側突出部４１もまた上側突出部４０と同様に内側側面と一体に設けられ、内側側面から垂直な方向に突出している突起状の部分であり、断面がＵ字状で第１櫛歯部材３２の長手方向に延びている。また、下側突出部４１は第１櫛歯部材３２の下面及び前面近傍に設けられ、下面及び前面に沿うように一部屈曲しながら長手方向に延びている。
【００４０】
凸部４２は第１櫛歯部材３２の後端に設けられた直方体状の部分であり、内側側面に対して垂直な方向に突出している。そして、この凸部４２は上側突出部４０及び下側突出部４１と接合している。換言すると、上側突出部４０と下側突出部４１は凸部４２を介して連続しているといえる。さらに、この凸部４２には貫通孔４５の一部であって、凸部４２を前後方向（第１櫛歯部材３２の側面に平行な方向）に貫通する孔が設けられている。
ここで、貫通孔４５について説明する。貫通孔４５は大きく分けて２つの部分から形成されるものであり、大部分が凸部４２を貫通する孔であって、一部が内側側面を窪ませた部分となっている。この貫通孔４５は第１櫛歯部材３２の後面に円形の開口を有し、第１櫛歯部材３２の長手方向に平行な方向に延びる孔である。そして、この貫通孔４５は「第１櫛歯部材３２の外部」と「上側突出部４０、下側突出部４１、凸部４２の３つの部分で囲まれた空間」とを連通している。
【００４１】
配置空間用凹部４３は、第１櫛歯部材３２の前端近傍に設けられており上面側と内側側面側に開口を有する凹部である。そして、この配置空間用凹部４３の上面側の開口は長方形状であり、内側側面側の開口は台形状となっている。また、これら２つの開口は繋がっており２つの開口の中心軸は直交している。ここで配置空間用凹部４３を内側側面側からみると、開口から幅方向（図７におけるＸ方向）と平行に延びるように窪んでいる。またさらに配置空間用凹部４３を上面側からみると、開口から高さ方向（図７におけるＹ方向）と平行に延びるように窪んでおり、底部分は下面と平行になっている。
即ち、配置空間用凹部４３は第１櫛歯状部材３２の内側側面を外側に向けてくり抜いた、外形が台形柱状の窪みである。
【００４２】
流路溝４４は、第１櫛歯部材３２の内側側面に設けられており、内側側面に垂直な方向が深さ方向となる、断面が長方形の第１櫛歯部材３２の長手方向に延びる溝である。
流路溝４４は上側突出部４０と下側突出部４１の間に位置している。そして一端が貫通孔４５と連続しており、他端が配置空間用凹部４３と連続している。つまり、流路溝４４は、貫通孔４５から配置空間用凹部４３までの間を一部屈曲しながら延びており、貫通孔４５と配置空間用凹部４３を繋ぐものである。
【００４３】
次に第２櫛歯部材３３について説明する。第２櫛歯部材３３は図８に示されるように、櫛状部材２を長手方向に沿って中心から左右に分割した際の略半分を形成する部材であって、前側からみたときに右側となる部分を形成する部材である。そして、第２櫛歯部材３３の前端側の上面には前述した２列の櫛歯片列１５の内の１列が配されている。即ち第２櫛歯部材３３は、前述した第１櫛歯部材３２に対して外観が略対称の部材となっている。
さらに第２櫛歯部材３３の片側側面であって、前側から見た時に左側に位置する側面（以下内側側面）には、上側係合溝４７、下側係合溝４８、凹部４９、配置空間用凹部５０が設けられている。なお第２櫛歯部材３３の内側側面は、第２櫛歯部材３３と第１櫛歯部材３２の前端を揃えて配置した際に、第１櫛歯部材３２の内側側面と向かい合う位置にある。
【００４４】
上側係合溝４７は第２櫛歯部材３３の長手方向に延びる溝である。この上側係合溝４７は、第２櫛歯部材３３の上面及び後面近傍に設けられ、上面及び後面に沿うように一部屈曲しながら長手方向に延びている。
【００４５】
下側係合溝４８は第２櫛歯部材３３の長手方向に延びる溝である。この下側係合溝４８は、第２櫛歯部材３３の下面及び前面近傍に設けられ、下面及び前面に沿うように一部屈曲しながら長手方向に延びている。
【００４６】
凹部４９は第２櫛歯部材３３の後端に設けられており、直方体状に窪んだ部分である。
【００４７】
配置空間用凹部５０は第２櫛歯部材３３の前端側に設けられた凹部であり、前述の第１櫛歯部材３２に設けられた配置空間用凹部４３と同一の形状となっている。
【００４８】
次に櫛歯用固定部材３４について説明する。図６に示されるように、櫛歯用固定部材３４は容器状の部材であり、上面に嵌め込み凹部３６が設けられている。嵌め込み凹部３６は、第１櫛歯部材３２と第２櫛歯部材３３を重ね合わせた形状と相似形であって、詳細には第１櫛歯部材３２の内側側面と第２櫛歯部材３３の内側側面とを前後端を合わせて重ね合わせた場合の外観の形状と相似形になっている。
また、櫛歯用固定部材３４は後端面に貫通孔５２を有している（図５）。貫通孔５２は後端面を貫通する孔であり、外部と嵌め込み凹部３６の内側を連通している。
さらに、櫛歯用固定部材３４は前側先端部分近傍であって上面の短手方向両端部に複数の櫛歯片係合部５３を有している。そして、それぞれの櫛歯片係合部５３は断面Ｕ字状で上面から上側へ突出している。
また、この櫛歯片係合部５３は列状に配されており、具体的には櫛歯用固定部材３４の長手方向に均等な間隔をあけて配置された櫛歯片係合部５３の列が２列設けられている。この２列の櫛歯片係合部５３の列は、それぞれ櫛歯用固定部材３４の短手方向の両端近傍に位置している。即ち、上記した各櫛歯片１４の配置と同様である。
【００４９】
ここで塗布液吸蔵体１０について説明する。塗布液吸蔵体１０は公知の中綿であって、染料７を含浸可能な連続気孔を有している多孔質材料である。より詳細にはアクリル繊維等の適宜な繊維で形成されており、内部に染料７を含浸することができる。
この塗布液吸蔵体１０は打ち抜き加工によって形成されており、前述の第１櫛歯部材３２の配置空間用凹部４３及び第２櫛歯部材３３の配置空間用凹部５０と相似形の塊に加工されている。
【００５０】
次に図６、図８及び図９を参照しつつ櫛状部材２を組み立てる際の手順について説明する。
まず第１櫛歯部材３２と第２櫛歯部材３３の間に前端と後端の位置を合わせ、それぞれの側面を密着させる。なお、このとき第１櫛歯部材３２と第２櫛歯部材３３の間に塗布液吸蔵体１０が位置するようにする（図９（ａ））。
具体的に説明すると、第１櫛歯部材３２の前端面方向からみて右側に位置する側面と、第２櫛歯部材３３の前端面方向からみて左側に位置する側面とを密着させる。そして、第１櫛歯部材３２の配置空間用凹部４３（図６）と第２櫛歯部材３３の配置空間用凹部５０（図８）に塗布液吸蔵体１０を配置する。
すると、第２櫛歯部材３３（図８）の上側係合溝４７、下側係合溝４８、凹部４９に対して、第１櫛歯部材３２（図６）の上側突出部４０、下側突出部４１、凸部４２がそれぞれ嵌入される。ここで、上側係合溝４７、下側係合溝４８、凹部４９はそれぞれ上側突出部４０、下側突出部４１、凸部４２と略同一の断面形状であり、これらは隙間なく嵌入される。このことにより、第１櫛歯部材３２と第２櫛歯部材３３が略一体となる。
このとき第１櫛歯部材３２の流路溝４４は、開口部分が第２櫛歯部材３３の内側側面に覆われる。そして、流路溝４４と第２櫛歯部材３３の内側側面によって流路５６（基部流路）が形成される。より具体的には、流路溝４４の側面及び底面と第２櫛歯部材３３の内側側面によって囲まれた空間が流路５６となる。
さらにこのとき、第１櫛歯部材３２の配置空間用凹部４３と第２櫛歯部材３３の配置空間用凹部５０（図８）が一体となって吸蔵体配置空間５５が形成される。吸蔵体配置空間５５は、一体となった第１櫛歯部材３２と第２櫛歯部材３３の上面から内部に広がった穴であり、器状になっている。そして、一体となった第１櫛歯部材３２と第２櫛歯部材３３の上面には、吸蔵体配置空間５５の開口２６（図９）が形成される。また、塗布液吸蔵体１０は吸蔵体配置空間５５に配置される。
【００５１】
次に一体となった第１櫛歯部材３２と第２櫛歯部材３３を、櫛歯用固定部材３４の嵌め込み凹部３６に嵌入する。ここで、一体となった第１櫛歯部材３２と第２櫛歯部材３３の外形と嵌め込み凹部３６の形状は略同一で、且つ、一体となった第１櫛歯部材３２と第２櫛歯部材３３の外形と嵌め込み凹部３６の内形の大きさが略同一となっている。そのため第１櫛歯部材３２及び第２櫛歯部材３３は、隙間なく嵌め込み凹部３６に嵌め込まれて櫛歯用固定部材３４と一体となり櫛状部材２となる（図９（ｂ））。
【００５２】
このとき、第１櫛歯部材３２及び第２櫛歯部材３３の上面と櫛歯用固定部材３４の上面は同一の面を共有する（面一となる）。そして、第１櫛歯部材３２及び第２櫛歯部材３３の各櫛歯片１４が、櫛歯用固定部材３４の各櫛歯片係合部５３と係合する。具体的には、各櫛歯片１４の突出方向の基端部分であり外側に位置する部分を、各櫛歯片係合部５３が包み込むようにして係合する。そのことにより、櫛歯片１４と櫛歯片係合部５３が一体となる。
さらにまた、第１櫛歯部材３２の後端面に設けられた貫通孔４５と櫛歯用固定部材３４の後端面に設けられた貫通孔５２が連通し、櫛状部材２に塗布液供給孔２９が形成される。つまり、貫通孔４５と貫通孔５２は開口の径が同じであり、第１櫛歯部材３２と第２櫛歯部材３３を櫛歯用固定部材３４に嵌め込んだ際に、中心軸の位置が同じとなるようにそれぞれ設けられている。この塗布液供給孔２９は外部と内部の流路５６を連通するものである。
【００５３】
なお、第１櫛歯部材３２と第２櫛歯部材３３の各内側側面を密着させる場合、一体となった第１櫛歯部材３２と第２櫛歯部材３３を櫛歯用固定部材３４の嵌め込み凹部３６に嵌入する場合のいずれか又は両方において、適宜の接着材を使用してもよいし、使用しなくてもよい。
【００５４】
次に、櫛状部材２の内部構造について説明する。
図１０に示されるように、櫛状部材２の内部には流路５６、堰状部分５７が設けられている。
【００５５】
流路５６は、前述したように第１櫛歯部材３２の流路溝４４と第２櫛歯部材３３の内側側面によって形成されており、断面が略正方形状で櫛状部材２の長手方向に延びる櫛状部材２の内部にある中空部分である。なお、この流路５６は櫛状部材２の形状にそって一部屈曲した状態で櫛状部材２の長手方向に延びている。この流路５６は塗布液供給孔２９と吸蔵体配置空間５５の間に位置して両者を繋いでいる。即ち、流路５６は塗布液供給孔２９と吸蔵体配置空間５５の間を貫通するものである。
【００５６】
堰状部分５７は、上側突出部４０と上側係合溝４７、下側突出部４１と下側係合溝４８が係合することによって形成されている。この堰状部分５７は流路５６の上下（図１０におけるＸ方向の上下であり、櫛状部材２の高さ方向の上下）に位置しており、流路５６及び吸蔵体配置空間５５に沿うように設けられている。
【００５７】
ここで本体部材３について図１，１１を参照しながら説明する。本体部材３は略円筒体であり、アルミ等の金属やポリプロピレン、ポリエチレン、ポリアセタールポリブチレンテレフタレート等の樹脂のような適宜な材料によりされるものである。この本体部材３は前側部材６０、中央部材６１、後側部材６２の３つの円筒体によって形成されており、それぞれねじ等の適宜な手段により一体に取り付けられている。
ここで、前側部材６０は筒体の外側表面に螺旋状の隆起部分（雄ネジ部分）を有しており、前側端部には筒体の内側から外部に向かって突出する櫛状部材取り付け部６３が設けられている。そして、櫛状部材取り付け部６３の後側であって本体部材３の内部には、前側から塗布液誘導路６４及び弁部６５、塗布液収納部６６、加圧機構部６７がそれぞれ連続して設けられている。
【００５８】
櫛状部材取り付け部６３は本体部材３（前側部材６０）の前端部に位置しており、仕切部６９、管状突出部７０、壁部７１、後側突出部７２によって形成されている。
【００５９】
仕切部６９は円筒体内側の孔を塞ぐように設けられた円板状の部分であり、外部と本体部材３の内部の空間を仕切るように設けられている。この仕切部６９は前側と後側にそれぞれ本体部材３の長手方向と直交する前端面及び後端面を有している。そして、仕切部６９の中心部分には前端面から後端面までを貫通する貫通孔７４が設けられている。
ここで仕切部６９の前端面には、管状突出部７０、壁部７１が設けられており、これらは仕切部６９の前端面と垂直な方向であり、外側（前側）へ向かう方向へ突出している。
また、仕切部６９の後端面には後側突出部７２が設けられている。この後側突出部７２は仕切部６９の後端面と垂直な方向であり、本体部材３の内部の空間（後側）へ向かう方向に突出している。
【００６０】
管状突出部７０は外形が円筒状であり、内部に貫通孔７５を有している。この貫通孔７５は管状突出部７０を本体部材３の長手方向に貫通するものである。
【００６１】
壁部７１は管状突出部７０の周囲を囲むように設けられており、前側（図１における左側）からみると長方形の上部が凸形に丸みを帯びたアーチ形状となるように連続している。
【００６２】
後側突出部７２は円筒状であり、内部に貫通孔７６を有している。この後側突出部７２は、管状突出部７０に比べて円筒壁が厚くなっており、前側又は後側から見た外径が大きくなっている。そして、この後側突出部７２の貫通孔７６は管状突出部７０の貫通孔７４より孔径が大きくなっている。
【００６３】
ここで、壁部７１に囲まれた内側の部分（前端側からみてアーチ形状の部分）は、櫛状部材２の本体取り付け部１２の後端部分の断面形状と略同一となっている。また管状突出部７０の位置は、壁部７１に囲まれた内側の部分に本体取り付け部１２を配した場合に塗布液供給孔２９と重なり合う位置となっている。さらに、管状突出部７０の外径は塗布液供給孔２９の内径と略同一である。
【００６４】
また、管状突出部７０の貫通孔７５、仕切部６９の貫通孔７４、後側突出部７２の貫通孔７６の３つの貫通孔はそれぞれ連通している。そして、これら３つの貫通孔の中心軸の位置は同じとなっており、その位置は本体部材３の中心軸であって前側部材６０の中心軸の位置と同じである。
したがって、櫛状部材取り付け部６３の中心部分は前後方向（図１における左右の方向）にそれぞれ突出した２つの円筒状の部分を有しており、２つの円筒状の部分の突出方向の端部を繋ぐように前側から後側に向かって貫通する貫通孔を有している
【００６５】
次に塗布液誘導路６４について説明する。塗布液誘導路６４は塗布液収納部６６と外部を連通するものである。具体的に説明すると、塗布液誘導路６４は毛染め具を使用する際に上記した塗布液供給孔２９に連結されることにより、塗布液収納部６６から櫛状部材２へ供給される染料７が流れる流路となる。
塗布液誘導路６４は前側から後側に向かって、前述した櫛状部材取り付け部６３の３つの貫通孔、即ち管状突出部７０の貫通孔７５、仕切部６９の貫通孔７４、後側突出部７２の貫通孔７６と本体流路７９によって形成されるものである。
【００６６】
本体流路７９は櫛状部材取り付け部６３と塗布液収納部６６の間に位置しており、両者を繋ぐ流路である。この本体流路７９は塗布液収納部６６の前端から本体部材の長手方向に延びる管状の部材により形成されている。この管状の部材は、塗布液収納部６６の前端にある円筒体内側の孔を塞ぐように設けられた円板状の部分（塗布液収納部６６の前端側の仕切になっている部分）と一体に設けられ、この円板状の部分から前端側に向かって本体部材３の長手方向に平行に突出している。なお、円板状の部分の中心部分は前端面から後端面へ貫通し、管状の部分と連通する貫通孔を有している。
なお、本体流路７９を形成する管状の部材の内径は前端側が後端側に比べて大きくなっている。この管状の部材の前端側の内径は、櫛状部材取り付け部６３の後側突出部７２の外径よりやや大きくなっており、後端側の内径は後述する弁部６５のボール８２の直径より小さくなっている。
【００６７】
弁部６５は、櫛状部材取り付け部６３と塗布液収納部６６の間に位置しており、両者を繋ぐ本体流路７９の内部に設けられている。この弁部６５は弾性部材８１及びボール８２によって形成されている。
弾性部材８１は弦巻ばね等の適宜の部材であり、ボール８０を後側へ付勢可能なものである。
ボール８０は球状の部材であり、その直径が流路７６の塗布液収納部６６側の開口の径より大きくなっている。
【００６８】
塗布液収納部６６は本体部材３の内部の空間であり、より詳細には中央部材６１の内部の空間である。この塗布液収納部６６の前端側は中央部材６１の内部に一体に設けられた円板状の部分によって区切られており、後端側は加圧機構部６７によって区切られている。
【００６９】
加圧機構部６７は塗布液収納部６６の内部に収納した染料７に対して後側から前側へ圧力を加えるものである。この、加圧機構部６７はピストン皿８４、ボルト８５、ナット８６によって形成されている。
【００７０】
ピストン皿８４は外観が一端側の閉塞された円筒体であり、円筒体内部であって閉塞面に円筒体の軸線方向（図１における左側）に隆起した円錐台状の凸部を有している。さらに、このピストン皿８４を後側（図１における右側）からみると、前記閉塞面の中心部分が円錐台状の穴になっている。即ち、この凸部は閉塞面を後側から前側へ円錐台状に窪ませたような形状である。
また、ピストン皿８４の直径は本体部材３の内径と略同一となっている。
【００７１】
ボルト８５は周知のボルトであり、略円柱状であり棒状の部材である。そして、その側面には後端側から前端近傍に至るまで螺旋状の隆起部分（雄ネジ部分）を有している。また、前端近傍には螺旋状の隆起が設けられておらず、後方側から円柱状の部分、断面の直径が小さな円柱状の部分、円錐台の部分の３つの部分より形成されている。なお、この円錐台の部分は前記したピストン皿の円錐台状の穴に嵌り込む。
【００７２】
ナット８６は本体部材３と一体に取り付けられたナットであり、詳細には本体部材３を回転させると、本体部材３に対する相対的な位置はそのままに、本体部材３の中心軸の周りを回転するよう取り付け用の部材を介して取り付けられたナットである。
なお、ナット８６の中心部分には前端面から後端面を貫通する貫通孔が設けられている。そして貫通孔の内面には、前述のボルト８５と螺合可能な螺旋状の溝（雌ネジ部分）が形成されている。
【００７３】
蓋部材４は有底筒状の部材であり、略円筒状の部材である。蓋部材４の後端部の円筒体の内側には螺旋状の溝（雌ネジ部分）が設けられている。なお、この螺旋状の溝には前述の前側部材６０に設けられた螺旋状の隆起部分（雄ネジ部分）が螺合することができる。
【００７４】
染料７は公知の毛染め液であって、着色料、アルコール、エタノール、乳酸、精製水等を適宜配合したものである。
【００７５】
本実施形態の毛染め具１の組み立て構成について図１を参照しながら説明する。
まず、櫛状部材２の後端側にある本体取り付け部１２を、本体部材３の前端側にある櫛状部材取り付け部６３に取り付ける。具体的には櫛状部材取り付け部６３の壁部７１で囲まれた部分に本体取り付け部１２を挿入し、塗布液供給孔２９に管状突出部７０を挿入する。すると、櫛状部材２と本体部材３が一体に取り付けられる。
次に、本体部材３の前側部材６０の外側表面に設けた螺旋状の隆起部分（雄ネジ部分）に、蓋部材４の螺旋状の溝（雌ネジ部分）を螺合させて本体部材３に蓋部材４を取り付ける。
なお、この蓋部材４は毛染め具１の使用時においては取り外されるものであり、本体部材３を固定した状態で蓋部材４を回転させることで、着脱自在となっている。
【００７６】
さらに、本実施形態の毛染め具１の作用について説明する。
本実施形態の毛染め具１は、本体部材３の塗布液収納部６６に収納した染料７を櫛状部材２の塗布液吸蔵体１０に供給し、塗布液吸蔵体１０に染料７を含浸させた状態において櫛歯部１１で毛髪（塗布対象）を梳ることにより、毛髪を染色する。
【００７７】
塗布液吸蔵体１０に染料７を供給するには、まず、本体部材３の後側部材６２を本体部材３の中心軸を回転軸として回転させる。すると、後側部材６２と共に内部のナット８６が回転する。このナット８６の回転に伴ってボルト８５が前側へ移動し、同時にボルト８５に一体に取り付けられたピストン皿８４も前側に移動する。
【００７８】
ここで、ピストン皿８４の直径は本体部材３の内径と略同一であり、ピストン皿８４は本体部材３の長手方向に対して液密に取り付けられているため、ピストン皿８４が前側に移動すると、塗布液収納部６６内の染料７に本体部材３の後側から前側へ向かって圧力がかかる。
【００７９】
ピストン皿８４が前進を続けて染料７に後側からの圧力がかかり続けると、「染料７がボール８２を前側へ押圧する力」が「弾性部材８１がボール８２を後側へ押圧する力」を上回る。そして、ボール８２による塗布液収納部６６の封水が解除され、染料７が塗布液誘導路６４に流れ込み、櫛状部材２の内部へ供給される。
なお、塗布液誘導路６４に流れ込んだ染料７が一定量に達すると、再び「弾性部材８１がボール８２を後側へ押圧する力」が「染料７がボール８２を前側へ押圧する力」を上回り、ボール８２が塗布液収納部６６の前端にある貫通孔に押しつけられ、塗布液収納部６６が液密状態になる。
【００８０】
櫛状部材２の後端の塗布液供給孔２９に塗布液誘導路６４（管状突出部７０の貫通孔７５）から染料７が供給されると、染料７はそのまま塗布液供給孔２９と連続する流路５６に流れ込み、吸蔵体配置空間５５へ流入する。
【００８１】
ここで、本実施形態では流路５６は櫛状部材２の長手方向に細長く伸びている。詳細に説明すると流路５６の断面積は、本体部材３の塗布液誘導路６４及び塗布液供給孔２９の断面積よりも小さくなっている。そのため、流路５６に達した染料７は流速が速くなり勢い良く流れる。このことから、例えば櫛状部材２が傾けられる等により流路５２の向きが変わり、染料７の流れ方向が上向きになる（重力に逆らう向きになる）といった染料７が流れにくい状況においても、染料７を円滑に流すことができる。そのことにより、吸蔵体配置空間５５への時間当たりの供給量を安定させることができる。
【００８２】
また、仮に規定量以上の染料７が流路５６に供給されることにより、流路５６から第１櫛歯部材３２と第２櫛歯部材３３の間の隙間へ染料７が漏れてしまっても、本実施形態では流路５６の上下方向（図１０のＸ方向）には堰状部分５７が設けられているため、染料７が櫛状部材２の外部に漏れることがない。
【００８３】
そして、吸蔵体配置空間５５へ流入した染料７は塗布液吸蔵体１０に含浸される。
【００８４】
ここで本実施形態では、吸蔵体配置空間５５は流路５６に比べて、櫛状部材２の長手方向当たりの断面積が十分大きくなっている。ここで、単位時間当たりの流量が変化しないとすれば、流体の流速は流路の断面積により決まるので、吸蔵体配置空間５５の内に侵入した染料７は流速が遅くなる。そのことにより、吸蔵体配置空間５５を染料７がゆるやかに広がっていくため染料７が塗布液吸蔵体１０にむらなく含浸しやすい。
【００８５】
また本実施形態では、吸蔵体配置空間５５は櫛歯部１１の外形と略相似形となっている。そのことにより、櫛歯部１１の外側表面に沿うように吸蔵体配置空間５５を設けることができるため、櫛歯部１１を小さくしても吸蔵体配置空間５５の容積を大きく設けることができる。そのため、塗布液吸蔵体１０の体積を大きくすることができる。
【００８６】
さらに、本実施形態では吸蔵体配置空間５５の下側と前側にも堰状部分５７が設けられている。したがって、前述の流路５６の場合と同様に、吸蔵体配置空間５５の染料７が第１櫛歯部材３２と第２櫛歯部材３３の間の隙間から外部へ漏れるおそれがない。
【００８７】
塗布液吸蔵体１０に染料７が含浸した状態で毛髪を梳ると、櫛歯片１４間を通過した毛髪が櫛歯片１４の基端部（櫛状部材２及び櫛歯部１１の上面）近傍にある塗布液吸蔵体１０に接触し、塗布液吸蔵体１０に含浸された染料７が毛髪に塗布される。そして、毛髪が染色される。
【００８８】
ここで、本実施形態では櫛歯部１１は櫛状部材２の長手方向に対して傾いている。そのため、本実施形態の毛染め具１の使用者が本体部材３を握りしめた状態で毛髪を梳る場合に、曲面状である頭皮に対して櫛歯片１４を立てた状態で当てることが容易である。そのため、本実施形態の毛染め具１は毛髪が梳きやすい形状であるといえる。
【００８９】
また、本実施形態では塗布液吸蔵体１０は櫛状部材２（櫛歯部１１）の上面に設けられた開口２６から、外部へ向かって１ｍｍ程度突出している。そのことにより、塗布液吸蔵体１０を開口２６から突出させない場合に比べて、塗布液吸蔵体１０が毛髪に近い位置にあるため塗布液吸蔵体１０を毛髪に接触させ易いという利点がある。
【００９０】
加えて、本実施形態では塗布液吸蔵体１０が櫛歯片１４の根元近傍にのみ位置していることにより、毛髪が梳きやすいという利点がある。詳細に説明すると、櫛状部材２は側面側から毛髪に当ててそのまま短手方向に動かすことにより毛髪を梳くものである。このとき、毛髪は１つめの櫛歯片列１５の隙間を通過した後、２つめの櫛歯片列１５の隙間を通過する。つまり、毛髪が櫛状部材２の短手方向に沿って相対的に移動することにより毛髪が梳かれるものである。
ここで、塗布液吸蔵体１０を外部へ大きく突出させると、塗布液吸蔵体１０の２つの櫛歯片列１５の間に位置する部分が大きくなる。このようにすると、２つの櫛歯片列１５の間に位置する塗布液吸蔵体１０が、毛髪の櫛状部材２に対する相対的な移動を妨げてしまう。つまり、１つめの櫛歯片列１５の隙間を通過した毛髪が塗布液吸蔵体１０に当接してしまい、毛髪の櫛状部材２に対する相対的な移動の方向が変化してしまう。そのことにより、２つめの櫛歯片列１５の隙間を十分な量の毛髪が通過できなくなるため毛髪をきれいに整えることが難しくなる。
しかしながら、本実施形態では塗布液吸蔵体１０が櫛歯片１４の根元近傍にのみ位置するので、塗布液吸蔵体１０が毛髪の櫛状部材２に対する相対的な移動を妨げるということがない。そのため、本実施形態の櫛状部材２は毛髪を梳きやすい。
なお、開口２６からの塗布液吸蔵体１０の突出量は特に限定されるものではないが、３ｍｍ以下が望ましく、より好適には１ｍｍ以下が望ましい。
【００９１】
加えて本実施形態では、２列の櫛歯片１５の間に開口２６が設けられていることにより、開口２６が目詰まりしにくいという利点や、毛髪をむらなくきれいに染色できるという効果がある。即ち上記したように、櫛状部材２は側面側から毛髪に当ててそのまま短手方向に動かすことにより毛髪を梳くものである。このとき櫛状部材２の短手方向両端（両側面の近傍）に櫛歯片列１５がそれぞれ位置することにより、毛髪は必ず櫛歯片列１５の隙間を通ってから開口２６から突出した塗布液吸蔵体１０に接触する。つまり、毛髪は梳られることによって表面から微細な埃や塵等が除去された状態で開口２６及び塗布液吸蔵体１０に接触する。このような構成によると、微細な塵や埃が開口２６及び塗布液吸蔵体１０にほとんど接触しないため、塵や埃に付着した染料７が乾燥固化して開口２６や塗布液吸蔵体１０に蓄積されることによる目詰まりを防ぐことができる。
また、毛髪の塵や埃を除去してから染色を行うため、むらなくきれいに染色を行うことができる。
【００９２】
以上説明した実施形態では、吸蔵体配置空間５５の形状を台形注状とし、吸蔵体配置空間５５の開口２６の形状を長方形（上面からみて長方形）としたが、これらの形状はこれに限定されるものではない。吸蔵体配置空間の形状は円柱形や直方体形、球形やこれらを一部変形した形状であってよい。吸蔵体配置空間の開口の形状も適宜変更してよい。たとえば、楕円形や円形、多角形型等の任意の形状であってよい。これらは、櫛状部材の形状等適宜条件に合わせて変更してよい。開口２６の面積が十分に大きければよい。
【００９３】
以上説明した実施形態では、本体部材３は加圧機構部６７を有する筒体としたが、本発明の毛染め具の本体部材はこれに限定されるものではない。例えば、図１２に示されるように、ポリエチレン等の樹脂で形成した櫛状部材２側へむかって細くなる形状の本体部材１００を採用し、加圧機構部６７に代わって手動で櫛状部材２に染料７を供給する構成であってもよい。
本発明の毛染め具に使用する本体部材は適宜変更してよい。
【符号の説明】
【００９４】
１  毛染め具
２  櫛状部材
３  本体部材
７  染料（塗布液）
１０  塗布液吸蔵体
１１  櫛歯部
１３  基部
１４  櫛歯片
１５  櫛歯片列
２６  開口
３２  第１櫛歯部材（櫛歯部材）
３３  第２櫛歯部材（櫛歯部材）
５５  吸蔵体配置空間（中空部分）
５６  流路（基部流路）
５７  堰状部分
６６  塗布液収納部
６７  加圧機構部
７６  塗布液誘導路
【図１】
2011250940.tif 000003
【図２】
2011250940.tif 000004
【図３】
2011250940.tif 000005
【図４】
2011250940.tif 000006
【図５】
2011250940.tif 000007
【図６】
2011250940.tif 000008
【図７】
2011250940.tif 000009
【図８】
2011250940.tif 000010
【図９】
2011250940.tif 000011
【図１０】
2011250940.tif 000012
【図１１】
2011250940.tif 000013
【図１２】
2011250940.tif 000014